(57)【要約】【課題】  メモ用紙５等をマグネット４で壁面６に吸着させて挟持するとともに、挟持されたメモ用紙５等を取り外す際に、多方向に片手でメモ用紙５等を取り出すことができ、且つメモ用紙５等にスジが付かないように取り外すことができる多様な使用方法を有するマグネットホルダー１を提供する。【解決手段】  メモ用紙５等をマグネット４で壁面に吸着させて挟持するマグネットホルダー１であって、半球形状又は半円柱形状に形成された本体部２の平面側に突起部３を設け、該本体部２又は突起部３のいずれか一方又は両方にマグネット４を埋設してなる。【選択図】図２
2011098558.tif 000002
【特許請求の範囲】
【請求項１】
メモ用紙等をマグネットで壁面に吸着させて挟持するマグネットホルダーであって、半球形状又は半円柱形状に形成された本体部の平面側に突起部を設け、該本体部又は突起部のいずれか一方又は両方にマグネットを埋設してなることを特徴とするマグネットホルダー。
【請求項２】
前記突起部の先端面がすり鉢状に陥没してなることを特徴とする請求項１に記載のマグネットホルダー。
【請求項３】
請求項１又は請求項２に記載のいずれかのマグネットホルダーを重ねて配置する一対のマグネットホルダーであって、該両マグネットホルダーの本体部の球状面側を対面させて当接し、両マグネットホルダーを夫々の球状面側の頂点で磁着してなることを特徴とする一対のマグネットホルダー。
【発明の詳細な説明】
【技術分野】
【０００１】
本発明は、メモ用紙等をマグネットで壁面に吸着させて挟持するとともに、挟持されたメモ用紙等を取り外す際に、多方向に片手で容易にメモ用紙等を着脱することができ、且つ多様な使用方法を提供できるマグネットホルダー及びそれを用いた一対のマグネットホルダーに関する。
【背景技術】
【０００２】
従来、マグネットホルダー本体のほぼ中心位置にマグネットを固定して配置されたマグネットホルダー等が市販されているが、当該マグネットホルダーによって壁面等に挟持されたメモ用紙等を取り外す際には、マグネットホルダー本体が脱落しないように、片手でマグネットホルダー本体を保持した後、もう一方の手でメモ用紙等を取り外す必要があった。
【０００３】
また、当該マグネットホルダーを利用してメモ用紙等を壁面に挟持する際には、一旦マグネットホルダーを壁面から取り外した後、壁面にメモ用紙等を添えてからマグネットホルダーを利用して挟持する必要があった。
【０００４】
このような問題を鑑みて、片手でマグネットホルダー本体を保持せずとも容易にメモ用紙等を取り外すことができ、且つ片手で容易にメモ用紙等を壁面に挟持することができるマグネットホルダーが提供されている。
【０００５】
例えば、本願出願人により、球形状で形成されたホルダー本体に空間部が設けられ、前記空間部に誘導可能なマグネットが内包されてなるマグネットホルダーが提供されている（特許文献１）。
【０００６】
また、中空半球体の内部に、永久磁石片或いは強磁性部材片を遊動自在に封入して構成した紙片保定具が提供されている（特許文献２）。
【先行技術文献】
【特許文献】
【０００７】
【特許文献１】特開平０９−３１１６２９号公報
【特許文献２】特許第４２８１０２１号公報
【発明の概要】
【発明が解決しようとする課題】
【０００８】
しかしながら、特許文献１に記載のマグネットホルダーでは、ホルダー本体が球状に形成されているので、例えば、該マグネットホルダーをホワイトボードや壁面等に吸着させた場合に、ホワイトボードから水平方向への厚みがあるので、市販されている皿形状のマグネットホルダーに比べて場所を取るため、歩行者に接触して壁面等から落下してしまう等の問題があった。
【０００９】
また、特許文献２に記載の紙片保定具では、マグネットホルダー本体が半球形状に構成されてはいるものの、球状面側でしかメモ用紙等を壁面等に挟時することができないため、使用用途が限られていた。
【００１０】
そこで、本発明は、壁面等に吸着してもスペース的に邪魔にならず、片手で容易にメモ用紙等の着脱ができ、さらに使用方法が多様なマグネットホルダー及びそれを用いた一対のマグネットホルダーを提供することを目的とする。
【課題を解決するための手段】
【００１１】
上記課題を解決するために、本発明は次のように構成した。すなわち、請求項１に記載のマグネットホルダーは、メモ用紙等をマグネットで壁面に吸着させて挟持するマグネットホルダーであって、半球形状又は半円柱形状に形成された本体部の平面側に突起部を設け、該本体部又は突起部のいずれか一方又は両方にマグネットを埋設してなることを特徴としている。
【００１２】
また、請求項２に記載のマグネットホルダーは、前記突起部の先端面がすり鉢状に陥没してなることを特徴としている。
【００１３】
さらに、請求項３に記載の一対のマグネットホルダーは、請求項１又は請求項２のいずれかのマグネットホルダーを重ねて配置する一対のマグネットホルダーであって、該両マグネットホルダーの本体部の球状面側を対面させて当接し、両マグネットホルダーを夫々の球状面側の頂点で磁着してなることを特徴としている。
【発明の効果】
【００１４】
本発明に係る請求項１に記載のマグネットホルダーによれば、半球状にしたことにより、スペース的に邪魔にならない。また、マグネットホルダーを壁面に吸着させた状態のまま、片手で容易にメモ用紙等を挟持することができる。半球状の本体部の平面部分に突起部を設けたことにより、多様な方法で本発明に係るマグネットホルダーを使用することができる。
【００１５】
また、請求項２に記載のマグネットホルダーによれば、突起部の先端面をすり鉢状に陥没させたことにより、複数のマグネットホルダーを重ねて使用する際に、すなわち、一方のマグネットホルダーの突起部ともう一方のマグネットホルダーの本体部球面状側とを当接する際に、本体部球面上側の頂点部が突起部の陥没部分に嵌まり込んで容易に複数のマグネットホルダーを重ねることができる。具体的な使用方法は、以下の実施例にて記述する。
【００１６】
さらに、請求項３に記載の一対のマグネットホルダーによれば、一対のマグネットホルダーに対して、相互に磁着した球状面の頂点方向に下方からメモ用紙等を差し込むようにして一対のマグネットホルダー間に挟持すれば、メモ用紙等を片手で容易に取付けることができる。逆に、一対のマグネットホルダー間に取り付けたメモ用紙等を取り外す際には、メモ用紙等を真下方向に引張することによって片手で容易に取り外すことができる。
【図面の簡単な説明】
【００１７】
【図１】本発明に係るマグネットホルダーの右側面図及び正面図である。
【図２】該マグネットホルダーの使用状態を示す図である。
【図３】メモ用紙を取り外す過程を説明する図である。
【図４】該マグネットホルダーが多方向に転動可能な様子を説明する図である。
【図５】メモ用紙を挟み込む様子を示す図である。
【図６】メモ用紙を片手で把持する様子を示す図である。
【図７】該マグネットホルダーの他の実施例を示す図である。
【図８】他の実施例を示す図である。
【図９】他の実施例を示す図である。
【図１０】他の実施例を示す図である。
【図１１】他の実施例を示す図である。
【図１２】他の実施例を示す断面図である。
【図１３】他の実施例を示す図である。
【図１４】他の実施例を示す図である。
【発明を実施するための形態】
【００１８】
以下、図面に基づいて本発明を具体的に説明する。図１において、（ａ）は本発明に係るマグネットホルダー１の右側面図であり、（ｂ）は本発明に係るマグネットホルダーの正面図である。本発明に係るマグネットホルダー１は、本体部２が半球形状で形成され、該ホルダー本体２の平面側中央に突起部３を設け、本体部２及び突起部３に掛けてマグネット４を埋設して構成される。マグネット４は、本体部２及び突起部３のいずれか一方か、或いは両方に埋設され、対象物に的確に磁着する磁力が確保できればどちらでもよい。なお、ここでは、本体部２及び突起部３に亘って、１つのマグネット４が埋設されている。
【００１９】
本体部２及び突起部３は、セルロイドやポリエチレン等の合成樹脂、ゴム等の弾性素材、木製、セラミック製又は金属等で構成され、平面及び球状面を有する半球形状に形成される。また、本体部２は、一般的に市販されているマグネットホルダー程度の大きさ、すなわち直径約３０ｍｍ程度、幅約１０ｍｍ程度で形成される。
【００２０】
但し、本体部２及び突起部３は、その使用用途によっては、例えば、カレンダー又はポスター等の比較的大サイズの用紙を壁面に挟持する場合、逆に電話のメモ用紙のように比較的小サイズの用紙を壁面に挟持する場合には、その用紙サイズに適合して大きさを変更してもよく、一定の大きさに限定されるものではない。なお、本体２部が小型化される程、メモ用紙等を挟持する際の省スペース化を図ることができる。
【００２１】
マグネット４は、本体部２の平面側の面積に対して、約１／２以下の面積の略円形状で形成され、該平面側の中央付近から突起部３の内部に掛けて埋設される。マグネット４の磁力の強弱は、例えば、厚手の用紙又はクリップ等で綴じた用紙等の挟持等、その使用用途によって任意に、且つ磁気吸着力を維持できる程度に選択すればよい。
【００２２】
図２は、マグネットホルダー１及び壁面６の間にメモ用紙５が挟持された状態を示す図である。マグネットホルダー１は、本体部２及び突起部３に埋設されたマグネット４が本体部２によって磁気力が遮断されることなく、メモ用紙５を本体部２の球状面側と壁面６との間で挟持している。ここで、壁面６は、黒板、ホワイトボード、掲示板又は冷蔵庫の側面等、マグネット４が吸着することのできるものである。
【００２３】
図３は、マグネットホルダー１及び壁面６により挟持されたメモ用紙５を取り外す過程を示す図である。メモ用紙５を取り外すには、片手でメモ用紙５の下端を把持し手前方向に引張すればよく、マグネットホルダー１は、引張されたメモ用紙５により揚送されるが如く、メモ用紙５の表面上を摺動しながら上方向に移動する。そして、メモ用紙５の上端がマグネットホルダー１及び壁面６による挟持から開放されるまで、継続してメモ用紙５を手前方向に引張することにより、マグネットホルダー１及び壁面６により挟持されたメモ用紙５を取り外すことができる。
【００２４】
この時、マグネット４は、壁面６への吸着状態を維持するために、マグネットホルダー１が壁面６から脱落することはなく、また、マグネットホルダー１及び壁面６により挟持されたメモ用紙５を取り外す際には、本体部２の滑らかな球状面側と“点”接触しながら、メモ用紙５の表面上を上方向に摺動するのみであるため、マグネットホルダー１及びメモ用紙５の接点で擦れ合わず、メモ用紙５の表面にスジが付くことはない。なお、本体部２を合成樹脂等又は金属等で構成した場合には、ゴム等の弾性素材で構成した場合に比して、摩擦力が弱いため、マグネットホルダー１は、メモ用紙５上をよりスムーズに摺動することができることから、メモ用紙５との接地点でスジを付けることはない。また、マグネット４は、本体部２の良好な摺動を勘案すれば、可及的小型に構成し、適度に軽量化を図った方がよい。
【００２５】
図４は、マグネットホルダー１が多方向に摺動可能な様子を説明する図である。上記説明では、メモ用紙５の下端を把持して手前方向に引張して下方からメモ用紙５を取り外す場合を説明したが、本発明に係るマグネットホルダー１は、壁面６との吸着部が球状面に構成されることから、メモ用紙５を片手で把持し手前方向に引張することにより、上方、斜め方向、左右方向等の多方向から、マグネットホルダー１及び壁面６により挟持されたメモ用紙５を取り外すことができる。
【００２６】
以上のように構成することにより、メモ用紙５等をマグネット４で壁面６に吸着させて挟持するとともに、挟持されたメモ用紙５等を取り外す際に、多方向に片手でメモ用紙５等を取り出すことができ、且つメモ用紙５等にスジが付かないよう取り外すことができる。
【００２７】
また、図５に示したように、マグネットホルダー１が壁面６に吸着している状態において、半球形状で縁断面の壁面６側が曲線で形成されるマグネットホルダー１と断面が直線で形成される壁面６との間には、マグネットホルダー１と壁面６との接地点までに緩やかに狭まる間隙が構成される。これにより、メモ用紙５をマグネットホルダー１の下方からメモ用紙５の上端を当該間隙に挿入するように押勢すれば、メモ用紙５の上端が当該間隙に挟持され、したがって、マグネットホルダー１を壁面６から一方の手で保持する必要はなく、片手で容易にメモ用紙５等を壁面６に挟持することができる。
【００２８】
また、図６に示したように、突起部３は、セルロイドやポリエチレン等の合成樹脂、ゴム等の弾性素材、又は金属等で構成されるが、基本的にホルダー本体２と同様の素材等で構成され、この突起部３を把持すれば、マグネットホルダー１を壁面から容易に取り外しすることができる。なお、突起部３は、円柱形状等、片手で容易に把持できる形状であれば何でもよく、また、本体部２の平面側上であれば、片手で把持し易い任意の位置に設けてもよい。
【００２９】
次に、本マグネットホルダー１の他の使用例について説明する。図７は、その一例を示す図である。まず、壁面６にメモ用紙５を添え、マグネットホルダー１の突起部３側をメモ用紙５に当接して、メモ用紙５を挟持する。そして、当該マグネットホルダー１の本体部２球状面上に他のメモ用紙５を添えた後、さらに他のマグネットホルダー１の突起部３側を他のメモ用紙５に当接して、２つのマグネットホルダー１間に他のメモ用紙５を挟持する。このようにマグネットホルダー１によるメモ用紙５の挟持を繰り返すことにより、複数のメモ用紙５をまとめて壁面６の所定箇所に貼る付けることができる。また、図８に示すように、本体部２と突起部３の方向を逆にして壁面６にメモ用紙５をまとめて貼り付けることも可能である。
【００３０】
このように貼り付けることで、例えば、同一カテゴリーの書類等をまとめて、壁面６の所定の箇所に貼り付けることができるので、壁面６上のスペースを有効的に使用することができるとともに、同一カテゴリー内の書類であっても、別々に分類しておきたい書類等をマグネットホルダー１間に挟持して細分することで、書類の管理が容易となる。
【００３１】
この時、使用するマグネットホルダー１の突起部３は、図９に示すように、その先端面が他のマグネットホルダー１の本体部２の球状面に適合するように緩やかなすり鉢状に陥没して形成されている。これにより、複数のマグネットホルダー１を重ねて使用する際に、本体部２の球状面中央部がもう一方のマグネットホルダー１の突起部３にスムーズに嵌り込んで位置決めしてくれるので、突起部３の先端が平面状に形成されたものに比べ、複数のマグネットホルダー１間にメモ用紙５等を挟持するのが容易になり、利便性が向上する。
【００３２】
また他にも、図１０に示すような使用例もある。マグネットホルダー１の突起部３側を壁面６に貼り付けて、突起部３にキーホルダー７等を吊り下げ、本体部２をキーホルダー７等の落ち防止片とする使用方法である。マグネットホルダー１は、しっかりと壁面６に磁着しているため、キーホルダー７等が落下することはない。また、接着剤等を使用していないので、即座に貼り付け位置を変更することができ、また、接着剤等が残留して壁面６が汚れることもないので、清潔に保つことができる。
【００３３】
以上のように、半球形状の本体部２に突起部３を設けたことにより、本発明のマグネットホルダー１は、多様な使用方法を提供することができる。また、突起部３の先端面をすり鉢状に陥没させたことにより、複数のマグネットホルダー１を重ねて使用し易くなり、利便性を向上させることが可能となる。
【００３４】
また、図１１に示すように、一対のマグネットホルダー１を用いてメモ用紙５を挟持することも可能である。まず、一方のマグネットホルダー１の突起部３側を壁面６に磁着させ、本体部２の球状面側を外方向に向けた後、他方のマグネットホルダー１を一方のマグネットホルダー１の球状面の頂点に当接させる。そうすると、両マグネットホルダー１のマグネット４が夫々のマグネットホルダー１の中央に埋設されているので、夫々の本体部の球状面側の頂点同士が磁着する。
【００３５】
このように配置した一対のマグネットホルダー１に対して、相互に磁着した球状面の頂点方向に下方からメモ用紙５を差し込むようにして一対のマグネットホルダー１間に挟持すれば、メモ用紙５を片手で容易に取付けることができる。逆に、一対のマグネットホルダー１間に取り付けたメモ用紙５を取り外す際には、メモ用紙５を真下方向に引張することによって片手で容易に取り外すことができる。この時、一対のマグネットホルダー１は、磁着状態を維持するので落下することはない。
【００３６】
上述した他の実施例においては、メモ用紙５を手前方向に引張することによって取り外したのに対して、該実施例によれば、真下方向に引張によってもメモ用紙５を片手で容易に取り外すことができる。なお、真下方向のみならず、壁面６と平行方向であれば、真横方向、真上方向に引張してもメモ用紙５を容易に取り外すことができる。
【００３７】
また、図１２に示す断面図のように、両マグネットホルダー１の突起部３側に半球面状のカバー８を取付けて、両マグネットホルダー１を楕円球形状に形成してもよい。これにより、本体部２の球状面側であっても、カバー８を設けた突起部３側であっても、両半球面状の頂点を磁着すれば、片手でのメモ用紙５の挟持又は取外しが、上記図１１で示した実施例と同様に、容易となる。
【００３８】
また、図１３に示すように、両マグネットホルダー１の本体部２を夫々楕円球形状に形成し、該本体部２にマグネット４を埋設する構成であっても、同様の効果を奏することができる。この場合、マグネットホルダー１を壁面６に磁着させた際に、両マグネットホルダー１の壁面６側に寄せた位置にマグネット４を埋設することにより、一対のマグネットホルダー１の壁面６側のマグネットホルダー１をより強力に壁面６に磁着させることができ、またもう一方の外側のマグネットホルダー１をメモ用紙５等の挟持又は取り外しが容易になるように適度に壁面６側のマグネットホルダー１に磁着させることができる。
【００３９】
以上に記載した実施例の本体部２は、夫々半球形状に形成されているが、図１４に示したように板蒲鉾状の半円柱形状に形成してもよく、半円柱形状の本体部２の平面側に埋設して止着されるマグネット３は、略円形状の他、棒状で構成してもよい。当該構成とすることで、半円柱形状のマグネットホルダー１及び壁面６により挟持されたメモ用紙５等を取り外す方向が上下の軸直交方向に制限されるものの、半円柱形状の本体部２とメモ用紙５等とが“線”で接触することから、上記実施例の半球形状のようにメモ用紙５等と“点”で接触するマグネットホルダー１よりも強力且つ堅固にメモ用紙５等を挟持することができる。
【００４０】
また、半円柱形状で壁面６側の縁断面が曲線で形成されるマグネットホルダー１と断面が直線で形成される壁面６との間には、マグネットホルダー１と壁面６との接地点までに緩やかに狭まる間隙が構成される。これにより、メモ用紙５をマグネットホルダー１の下方からメモ用紙５の上端を当該間隙に挿入するように押勢すれば、メモ用紙５の上端が当該間隙に挟持され、したがって、半円柱形状のマグネットホルダー１を使用しても、マグネットホルダー１を壁面５から一方の手で保持する必要はなく、片手で容易にメモ用紙５等を壁面６に挟持することができる。
【産業上の利用可能性】
【００４１】
マグネットホルダー１のホルダー本体２は、球形状で構成してもよい。この時、マグネット３も球形状で構成され、球形状のホルダー本体２の重心部に埋入される。ホルダー本体２が球形状で構成されることにより、上記実施例と同様、メモ用紙４を片手で把持し手前方向に引張すれば、マグネットホルダー１とメモ用紙４等との当接部が“点”であり、メモ用紙４等の表面上を球形状のマグネットホルダー１が上方向に転動することから、片手で容易にメモ用紙４等を取り外すことができ、且つメモ用紙４にスジが付くことはない。なお、球形状の周面のいずれかに、上記突起部３を設けることにより、上記使用方法を実施することができる。
【００４２】
また、上記各実施例の半球形状又は半円柱形状及び球形状のホルダー本体２を磁石で構成し、ホルダー本体２の外周面に繊維層、合成樹脂層、弾性素材層又は金属層等を被覆した構成にしてもよい。この場合、ホルダー本体２の外周面の金属は、磁性体の金属で構成してもよく、非磁性体の金属で構成してもよい。
【００４３】
また、上記実施例では、メモ用紙４等を壁面５に挟持することに本発明に係るマグネットホルダー１を使用したが、コピー用紙等の切断時の紙押え又は金属製クリップの散乱防止ホルダーとしても使用することができる。なお、本体部２又は突起部３側のいずれか一方又は両方を使用しても、紙押え又は金属製クリップを磁着させることができる。
【符号の説明】
【００４４】
１    マグネットホルダー
２    本体部
３    突起部
４    マグネット
５    メモ用紙
６    壁面
７    キーホルダー
８    カバー
【図１】
2011098558.tif 000003
【図２】
2011098558.tif 000004
【図３】
2011098558.tif 000005
【図４】
2011098558.tif 000006
【図５】
2011098558.tif 000007
【図６】
2011098558.tif 000008
【図７】
2011098558.tif 000009
【図８】
2011098558.tif 000010
【図９】
2011098558.tif 000011
【図１０】
2011098558.tif 000012
【図１１】
2011098558.tif 000013
【図１２】
2011098558.tif 000014
【図１３】
2011098558.tif 000015
【図１４】
2011098558.tif 000016
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
メモ用紙等をマグネットで壁面に吸着させて挟持するマグネットホルダーであって、略半球形状に形成された本体部の平面側に突起部を設け、該本体部又は突起部のいずれか一方又は両方にマグネットを埋設してなることを特徴とするマグネットホルダー。
【請求項２】
前記突起部の先端面がすり鉢状に陥没してなることを特徴とする請求項１に記載のマグネットホルダー。
【請求項３】
メモ用紙等をマグネットで壁面に吸着させて挟持する一対のマグネットホルダーであって、
夫々略半球形状に形成された本体部の平面側に突起部を設け、該本体部又は突起部のいずれか一方又は両方にマグネットを埋設してなる両マグネットホルダーが、該両マグネットホルダーの本体部の球状面側を対面させて当接し、マグネットホルダーを夫々の球状面側の頂点で磁着してなることを特徴とする一対のマグネットホルダー。
【請求項４】
メモ用紙等をマグネットで壁面に吸着させて挟持するマグネットホルダーであって、略楕円球形状に形成された本体部にマグネットを埋設してなることを特徴とするマグネットホルダー。
【手続補正２】
【補正対象書類名】明細書
【補正対象項目名】０００７
【補正方法】変更
【補正の内容】
【０００７】
【特許文献１】特許第４２８１０２１号公報
【特許文献２】特開平０９−３１１６２９号公報
【手続補正３】
【補正対象書類名】明細書
【補正対象項目名】０００９
【補正方法】変更
【補正の内容】
【０００９】
また、特許文献２に記載の紙片保定具では、マグネットホルダー本体が半球形状に構成されてはいるものの、球状面側でしかメモ用紙等を壁面等に挟持することができないため、使用用途が限られていた。
【手続補正４】
【補正対象書類名】明細書
【補正対象項目名】００１１
【補正方法】変更
【補正の内容】
【００１１】
上記課題を解決するために、本発明は次のように構成した。すなわち、請求項１に記載のマグネットホルダーは、メモ用紙等をマグネットで壁面に吸着させて挟持するマグネットホルダーであって、略半球形状に形成された本体部の平面側に突起部を設け、該本体部又は突起部のいずれか一方又は両方にマグネットを埋設してなることを特徴としている。
【手続補正５】
【補正対象書類名】明細書
【補正対象項目名】００１３
【補正方法】変更
【補正の内容】
【００１３】
さらに、請求項３に記載の一対のマグネットホルダーは、メモ用紙等をマグネットで壁面に吸着させて挟持する一対のマグネットホルダーであって、夫々略半球形状に形成された本体部の平面側に突起部を設け、該本体部又は突起部のいずれか一方又は両方にマグネットを埋設してなる両マグネットホルダーが、該両マグネットホルダーの本体部の球状面側を対面させて当接し、マグネットホルダーを夫々の球状面側の頂点で磁着してなることを特徴としている。
【手続補正６】
【補正対象書類名】明細書
【補正対象項目名】００１４
【補正方法】変更
【補正の内容】
【００１４】
本発明に係る請求項１に記載のマグネットホルダーによれば、略半球形状にしたことにより、壁面に吸着させた際に、スペース的に邪魔にならない。また、マグネットホルダーを壁面に吸着させた状態のまま、片手で容易にメモ用紙等を挟持することができる。さらに、略半球形状の本体部の平面部分に突起部を設けたことにより、多様な方法で本発明に係るマグネットホルダーを使用することができる。
【手続補正７】
【補正対象書類名】明細書
【補正対象項目名】００１８
【補正方法】変更
【補正の内容】
【００１８】
以下、図面に基づいて本発明を具体的に説明する。図１において、（ａ）は本発明に係るマグネットホルダー１の右側面図であり、（ｂ）は本発明に係るマグネットホルダーの正面図である。本発明に係るマグネットホルダー１は、本体部２が略半球形状で形成され、該本体部２の平面側中央に突起部３を設け、本体部２及び突起部３に掛けてマグネット４を埋設して構成される。マグネット４は、本体部２及び突起部３のいずれか一方か、或いは両方に埋設され、対象物に的確に磁着する磁力が確保できればどちらでもよい。なお、ここでは、本体部２及び突起部３に亘って、１つのマグネット４が埋設されている。
【手続補正８】
【補正対象書類名】明細書
【補正対象項目名】００１９
【補正方法】変更
【補正の内容】
【００１９】
本体部２及び突起部３は、セルロイドやポリエチレン等の合成樹脂、ゴム等の弾性素材、木製、セラミック製又は金属等で構成され、平面及び球状面を有する略半球形状に形成される。また、本体部２は、一般的に市販されているマグネットホルダー程度の大きさ、すなわち直径約３０ｍｍ程度、幅約１０ｍｍ程度で形成される。
【手続補正９】
【補正対象書類名】明細書
【補正対象項目名】００２７
【補正方法】変更
【補正の内容】
【００２７】
また、図５に示したように、マグネットホルダー１が壁面６に吸着している状態において、略半球形状で縁断面の壁面６側が曲線で形成されるマグネットホルダー１と断面が直線で形成される壁面６との間には、マグネットホルダー１と壁面６との接地点までに緩やかに狭まる間隙が構成される。これにより、メモ用紙５をマグネットホルダー１の下方からメモ用紙５の上端を当該間隙に挿入するように押勢すれば、メモ用紙５の上端が当該間隙に挟持され、したがって、マグネットホルダー１を壁面６から一方の手で保持する必要はなく、片手で容易にメモ用紙５等を壁面６に挟持することができる。
【手続補正１０】
【補正対象書類名】明細書
【補正対象項目名】００２９
【補正方法】変更
【補正の内容】
【００２９】
次に、本マグネットホルダー１の他の使用例について説明する。図７は、その一例を示す図である。まず、壁面６にメモ用紙５を添え、マグネットホルダー１の突起部３側をメモ用紙５に当接して、メモ用紙５を挟持する。そして、当該マグネットホルダー１の本体部２球状面上に他のメモ用紙５を添えた後、さらに他のマグネットホルダー１の突起部３側を他のメモ用紙５に当接して、２つのマグネットホルダー１間に他のメモ用紙５を挟持する。この時、夫々のマグネットホルダー１に埋設されているマグネット４の磁極は、夫々のマグネットホルダー１において同じ方向を向いている。すなわち、あるマグネットホルダー１に埋設されたマグネット４において、本体部２方向の磁極がＮ極であれば、他のマグネットホルダー１においても本体部２方向の磁極がＮ極となるように埋設される。逆に、本体部２方向の磁極がＳ極であれば、他のマグネットホルダー１のマグネットの磁極も本体部２方向がＳ極となるように埋設される。このようにマグネットホルダー１によるメモ用紙５の挟持を繰り返すことにより、複数のメモ用紙５をまとめて壁面６の所定箇所に貼る付けることができる。また、図８に示すように、本体部２と突起部３の方向を逆にして壁面６にメモ用紙５をまとめて貼り付けることも可能である。
【手続補正１１】
【補正対象書類名】明細書
【補正対象項目名】００３３
【補正方法】変更
【補正の内容】
【００３３】
以上のように、略半球形状の本体部２に突起部３を設けたことにより、本発明のマグネットホルダー１は、多様な使用方法を提供することができる。また、突起部３の先端面をすり鉢状に陥没させたことにより、複数のマグネットホルダー１を重ねて使用し易くなり、利便性を向上させることが可能となる。
【手続補正１２】
【補正対象書類名】明細書
【補正対象項目名】００３４
【補正方法】変更
【補正の内容】
【００３４】
また、図１１に示すように、一対のマグネットホルダー１を用いてメモ用紙５を挟持することも可能である。まず、一方のマグネットホルダー１の突起部３側を壁面６に磁着させ、本体部２の球状面側を外方向に向けた後、他方のマグネットホルダー１を一方のマグネットホルダー１の球状面の頂点に当接させる。そうすると、両マグネットホルダー１のマグネット４が夫々のマグネットホルダー１の中央に埋設されているので、夫々の本体部の球状面側の頂点同士が磁着する。該実施例において、夫々のマグネットホルダー１におけるマグネット４は、上記実施例とは異なり、本体部２の頂点で当接して磁着するべく、夫々本体部２の頂点方向の磁極が異なるように埋設される。すなわち、一方のマグネットホルダー１に埋設されたマグネット４において、本体部２方向の磁極がＮ極であれば、もう一方のマグネットホルダー１においては本体部２方向の磁極がＳ極になるように埋設される。逆に、本体部２方向の磁極がＳ極であれば、他のマグネットホルダー１のマグネットの磁極は、本体部２方向がＮ極となるように埋設される。
【手続補正１３】
【補正対象書類名】明細書
【補正対象項目名】００３９
【補正方法】変更
【補正の内容】
【００３９】
以上に記載した実施例の本体部２は、夫々略半球形状に形成されているが、図１４に示したように板蒲鉾状の半円柱形状に形成してもよく、半円柱形状の本体部２の平面側に埋設して止着されるマグネット４は、略円形状の他、棒状で構成してもよい。当該構成とすることで、半円柱形状のマグネットホルダー１及び壁面６により挟持されたメモ用紙５等を取り外す方向が上下の軸直交方向に制限されるものの、半円柱形状の本体部２とメモ用紙５等とが“線”で接触することから、上記実施例の略半球形状のようにメモ用紙５等と“点”で接触するマグネットホルダー１よりも強力且つ堅固にメモ用紙５等を挟持することができる。
【手続補正１４】
【補正対象書類名】明細書
【補正対象項目名】００４２
【補正方法】変更
【補正の内容】
【００４２】
また、上記各実施例の略半球形状又は半円柱形状及び球形状の本体部２を磁石で構成し、本体部２の外周面に繊維層、合成樹脂層、弾性素材層又は金属層等を被覆した構成にしてもよい。この場合、本体部２の外周面の金属は、磁性体の金属で構成してもよく、非磁性体の金属で構成してもよい。
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
メモ用紙等をマグネットで壁面に吸着させて挟持するマグネットホルダーであって、略半球形状に形成された本体部の平面側に突起部を設け、該本体部及び突起部の両方にマグネットを埋設してなることを特徴とするマグネットホルダー。
【請求項２】
メモ用紙等をマグネットで壁面に吸着させて挟持するマグネットホルダーであって、略半球形状に形成された本体部の平面側に突起部を設け、該本体部又は突起部のいずれか一方又は両方にマグネットを埋設し、前記突起部の先端面がすり鉢状に陥没してなることを特徴とするマグネットホルダー。
【手続補正２】
【補正対象書類名】明細書
【補正対象項目名】全文
【補正方法】変更
【補正の内容】
【発明の詳細な説明】
【技術分野】
【０００１】
本発明は、メモ用紙等をマグネットで壁面に吸着させて挟持するとともに、挟持されたメモ用紙等を取り外す際に、多方向に片手で容易にメモ用紙等を着脱することができ、且つ多様な使用方法を提供できるマグネットホルダーに関する。
【背景技術】
【０００２】
従来、マグネットホルダー本体のほぼ中心位置にマグネットを固定して配置されたマグネットホルダー等が市販されているが、当該マグネットホルダーによって壁面等に挟持されたメモ用紙等を取り外す際には、マグネットホルダー本体が脱落しないように、片手でマグネットホルダー本体を保持した後、もう一方の手でメモ用紙等を取り外す必要があった。
【０００３】
また、当該マグネットホルダーを利用してメモ用紙等を壁面に挟持する際には、一旦マグネットホルダーを壁面から取り外した後、壁面にメモ用紙等を添えてからマグネットホルダーを利用して挟持する必要があった。
【０００４】
このような問題を鑑みて、片手でマグネットホルダー本体を保持せずとも容易にメモ用紙等を取り外すことができ、且つ片手で容易にメモ用紙等を壁面に挟持することができるマグネットホルダーが提供されている。
【０００５】
例えば、本願出願人により、球形状で形成されたホルダー本体に空間部が設けられ、前記空間部に遊動可能なマグネットが内包されてなるマグネットホルダーが提供されている（特許文献１）。
【０００６】
また、中空半球体の内部に、永久磁石片或いは強磁性部材片を遊動自在に封入して構成した紙片保定具が提供されている（特許文献２）。
【先行技術文献】
【特許文献】
【０００７】
【特許文献１】特許第４２８１０２１号公報
【特許文献２】特開平０９−３１１６２９号公報
【発明の概要】
【発明が解決しようとする課題】
【０００８】
しかしながら、特許文献１に記載のマグネットホルダーでは、ホルダー本体が球状に形成されているので、例えば、該マグネットホルダーをホワイトボードや壁面等に吸着させた場合に、ホワイトボードから水平方向への厚みがあるので、市販されている皿形状のマグネットホルダーに比べて場所を取るため、歩行者に接触して壁面等から落下してしまう等の問題があった。
【０００９】
また、特許文献２に記載の紙片保定具では、マグネットホルダー本体が半球形状に構成されてはいるものの、球状面側でしかメモ用紙等を壁面等に挟持することができないため、使用用途が限られていた。
【００１０】
そこで、本発明は、壁面等に吸着してもスペース的に邪魔にならず、片手で容易にメモ用紙等の着脱ができ、さらに使用方法が多様なマグネットホルダーを提供することを目的とする。
【課題を解決するための手段】
【００１１】
上記課題を解決するために、本発明は次のように構成した。すなわち、請求項１に記載のマグネットホルダーは、メモ用紙等をマグネットで壁面に吸着させて挟持するマグネットホルダーであって、略半球形状に形成された本体部の平面側に突起部を設け、該本体部及び突起部の両方にマグネットを埋設してなることを特徴としている。
【００１２】
また、請求項２に記載のマグネットホルダーは、メモ用紙等をマグネットで壁面に吸着させて挟持するマグネットホルダーであって、略半球形状に形成された本体部の平面側に突起部を設け、該本体部又は突起部のいずれか一方又は両方にマグネットを埋設し、前記突起部の先端面がすり鉢状に陥没してなることを特徴としている。
【発明の効果】
【００１３】
本発明に係る請求項１に記載のマグネットホルダーによれば、略半球形状にしたことにより、壁面に吸着させた際に、スペース的に邪魔にならない。また、マグネットホルダーを壁面に吸着させた状態のまま、片手で容易にメモ用紙等を挟持することができる。さらに、略半球形状の本体部の平面部分に突起部を設けたことにより、多様な方法で本発明に係るマグネットホルダーを使用することができる。
【００１４】
また、請求項２に記載のマグネットホルダーによれば、突起部の先端面をすり鉢状に陥没させたことにより、複数のマグネットホルダーを重ねて使用する際に、すなわち、一方のマグネットホルダーの突起部ともう一方のマグネットホルダーの本体部球面状側とを当接する際に、本体部球面上側の頂点部が突起部の陥没部分に嵌まり込んで容易に複数のマグネットホルダーを重ねることができる。具体的な使用方法は、以下の実施例にて記述する。
【図面の簡単な説明】
【００１５】
【図１】本発明に係るマグネットホルダーの右側面図及び正面図である。
【図２】該マグネットホルダーの使用状態を示す図である。
【図３】メモ用紙を取り外す過程を説明する図である。
【図４】該マグネットホルダーが多方向に転動可能な様子を説明する図である。
【図５】メモ用紙を挟み込む様子を示す図である。
【図６】メモ用紙を片手で把持する様子を示す図である。
【図７】該マグネットホルダーの他の実施例を示す図である。
【図８】他の実施例を示す図である。
【図９】他の実施例を示す図である。
【図１０】他の実施例を示す図である。
【図１１】他の実施例を示す図である。
【図１２】他の実施例を示す断面図である。
【図１３】他の実施例を示す図である。
【図１４】他の実施例を示す図である。
【発明を実施するための形態】
【００１６】
以下、図面に基づいて本発明を具体的に説明する。図１において、（ａ）は本発明に係るマグネットホルダー１の右側面図であり、（ｂ）は本発明に係るマグネットホルダーの正面図である。本発明に係るマグネットホルダー１は、本体部２が略半球形状で形成され、該本体部２の平面側中央に突起部３を設け、本体部２及び突起部３に掛けてマグネット４を埋設して構成される。マグネット４は、本体部２及び突起部３のいずれか一方か、或いは両方に埋設され、対象物に的確に磁着する磁力が確保できればどちらでもよい。なお、ここでは、本体部２及び突起部３に亘って、１つのマグネット４が埋設されている。
【００１７】
本体部２及び突起部３は、セルロイドやポリエチレン等の合成樹脂、ゴム等の弾性素材、木製、セラミック製又は金属等で構成され、平面及び球状面を有する略半球形状に形成される。また、本体部２は、一般的に市販されているマグネットホルダー程度の大きさ、すなわち直径約３０ｍｍ程度、幅約１０ｍｍ程度で形成される。
【００１８】
但し、本体部２及び突起部３は、その使用用途によっては、例えば、カレンダー又はポスター等の比較的大サイズの用紙を壁面に挟持する場合、逆に電話のメモ用紙のように比較的小サイズの用紙を壁面に挟持する場合には、その用紙サイズに適合して大きさを変更してもよく、一定の大きさに限定されるものではない。なお、本体部２が小型化される程、メモ用紙等を挟持する際の省スペース化を図ることができる。
【００１９】
マグネット４は、本体部２の平面側の面積に対して、約１／２以下の面積の略円形状で形成され、該平面側の中央付近から突起部３の内部に掛けて埋設される。マグネット４の磁力の強弱は、例えば、厚手の用紙又はクリップ等で綴じた用紙等の挟持等、その使用用途によって任意に、且つ磁気吸着力を維持できる程度に選択すればよい。
【００２０】
図２は、マグネットホルダー１及び壁面６の間にメモ用紙５が挟持された状態を示す図である。マグネットホルダー１は、本体部２及び突起部３に埋設されたマグネット４が本体部２によって磁気力が遮断されることなく、メモ用紙５を本体部２の球状面側と壁面６との間で挟持している。ここで、壁面６は、黒板、ホワイトボード、掲示板又は冷蔵庫の側面等、マグネット４が吸着することのできるものである。
【００２１】
図３は、マグネットホルダー１及び壁面６により挟持されたメモ用紙５を取り外す過程を示す図である。メモ用紙５を取り外すには、片手でメモ用紙５の下端を把持し手前方向に引張すればよく、マグネットホルダー１は、引張されたメモ用紙５により揚送されるが如く、メモ用紙５の表面上を摺動しながら上方向に移動する。そして、メモ用紙５の上端がマグネットホルダー１及び壁面６による挟持から開放されるまで、継続してメモ用紙５を手前方向に引張することにより、マグネットホルダー１及び壁面６により挟持されたメモ用紙５を取り外すことができる。
【００２２】
この時、マグネット４は、壁面６への吸着状態を維持するために、マグネットホルダー１が壁面６から脱落することはなく、また、マグネットホルダー１及び壁面６により挟持されたメモ用紙５を取り外す際には、本体部２の滑らかな球状面側と“点”接触しながら、メモ用紙５の表面上を上方向に摺動するのみであるため、マグネットホルダー１及びメモ用紙５の接点で擦れ合わず、メモ用紙５の表面にスジが付くことはない。なお、本体部２を合成樹脂等又は金属等で構成した場合には、ゴム等の弾性素材で構成した場合に比して、摩擦力が弱いため、マグネットホルダー１は、メモ用紙５上をよりスムーズに摺動することができることから、メモ用紙５との接地点でスジを付けることはない。また、マグネット４は、本体部２の良好な摺動を勘案すれば、可及的小型に構成し、適度に軽量化を図った方がよい。
【００２３】
図４は、マグネットホルダー１が多方向に摺動可能な様子を説明する図である。上記説明では、メモ用紙５の下端を把持して手前方向に引張して下方からメモ用紙５を取り外す場合を説明したが、本発明に係るマグネットホルダー１は、壁面６との吸着部が球状面に構成されることから、メモ用紙５を片手で把持し手前方向に引張することにより、上方、斜め方向、左右方向等の多方向から、マグネットホルダー１及び壁面６により挟持されたメモ用紙５を取り外すことができる。
【００２４】
以上のように構成することにより、メモ用紙５等をマグネット４で壁面６に吸着させて挟持するとともに、挟持されたメモ用紙５等を取り外す際に、多方向に片手でメモ用紙５等を取り出すことができ、且つメモ用紙５等にスジが付かないよう取り外すことができる。
【００２５】
また、図５に示したように、マグネットホルダー１が壁面６に吸着している状態において、略半球形状で縁断面の壁面６側が曲線で形成されるマグネットホルダー１と断面が直線で形成される壁面６との間には、マグネットホルダー１と壁面６との接地点までに緩やかに狭まる間隙が構成される。これにより、メモ用紙５をマグネットホルダー１の下方からメモ用紙５の上端を当該間隙に挿入するように押勢すれば、メモ用紙５の上端が当該間隙に挟持され、したがって、マグネットホルダー１を壁面６から一方の手で保持する必要はなく、片手で容易にメモ用紙５等を壁面６に挟持することができる。
【００２６】
また、図６に示したように、突起部３は、セルロイドやポリエチレン等の合成樹脂、ゴム等の弾性素材、又は金属等で構成されるが、基本的にホルダー本体２と同様の素材等で構成され、この突起部３を把持すれば、マグネットホルダー１を壁面から容易に取り外しすることができる。なお、突起部３は、円柱形状等、片手で容易に把持できる形状であれば何でもよく、また、本体部２の平面側上であれば、片手で把持し易い任意の位置に設けてもよい。
【００２７】
次に、本マグネットホルダー１の他の使用例について説明する。図７は、その一例を示す図である。まず、壁面６にメモ用紙５を添え、マグネットホルダー１の突起部３側をメモ用紙５に当接して、メモ用紙５を挟持する。そして、当該マグネットホルダー１の本体部２球状面上に他のメモ用紙５を添えた後、さらに他のマグネットホルダー１の突起部３側を他のメモ用紙５に当接して、２つのマグネットホルダー１間に他のメモ用紙５を挟持する。この時、夫々のマグネットホルダー１に埋設されているマグネット４の磁極は、夫々のマグネットホルダー１において同じ方向を向いている。すなわち、あるマグネットホルダー１に埋設されたマグネット４において、本体部２方向の磁極がＮ極であれば、他のマグネットホルダー１においても本体部２方向の磁極がＮ極となるように埋設される。逆に、本体部２方向の磁極がＳ極であれば、他のマグネットホルダー１のマグネットの磁極も本体部２方向がＳ極となるように埋設される。このようにマグネットホルダー１によるメモ用紙５の挟持を繰り返すことにより、複数のメモ用紙５をまとめて壁面６の所定箇所に貼る付けることができる。また、図８に示すように、本体部２と突起部３の方向を逆にして壁面６にメモ用紙５をまとめて貼り付けることも可能である。
【００２８】
このように貼り付けることで、例えば、同一カテゴリーの書類等をまとめて、壁面６の所定の箇所に貼り付けることができるので、壁面６上のスペースを有効的に使用することができるとともに、同一カテゴリー内の書類であっても、別々に分類しておきたい書類等をマグネットホルダー１間に挟持して細分することで、書類の管理が容易となる。
【００２９】
この時、使用するマグネットホルダー１の突起部３は、図９に示すように、その先端面が他のマグネットホルダー１の本体部２の球状面に適合するように緩やかなすり鉢状に陥没して形成されている。これにより、複数のマグネットホルダー１を重ねて使用する際に、本体部２の球状面中央部がもう一方のマグネットホルダー１の突起部３にスムーズに嵌り込んで位置決めしてくれるので、突起部３の先端が平面状に形成されたものに比べ、複数のマグネットホルダー１間にメモ用紙５等を挟持するのが容易になり、利便性が向上する。
【００３０】
また他にも、図１０に示すような使用例もある。マグネットホルダー１の突起部３側を壁面６に貼り付けて、突起部３にキーホルダー７等を吊り下げ、本体部２をキーホルダー７等の落ち防止片とする使用方法である。マグネットホルダー１は、しっかりと壁面６に磁着しているため、キーホルダー７等が落下することはない。また、接着剤等を使用していないので、即座に貼り付け位置を変更することができ、また、接着剤等が残留して壁面６が汚れることもないので、清潔に保つことができる。
【００３１】
以上のように、略半球形状の本体部２に突起部３を設けたことにより、本発明のマグネットホルダー１は、多様な使用方法を提供することができる。また、突起部３の先端面をすり鉢状に陥没させたことにより、複数のマグネットホルダー１を重ねて使用し易くなり、利便性を向上させることが可能となる。
【００３２】
また、図１１に示すように、一対のマグネットホルダー１を用いてメモ用紙５を挟持することも可能である。まず、一方のマグネットホルダー１の突起部３側を壁面６に磁着させ、本体部２の球状面側を外方向に向けた後、他方のマグネットホルダー１を一方のマグネットホルダー１の球状面の頂点に当接させる。そうすると、両マグネットホルダー１のマグネット４が夫々のマグネットホルダー１の中央に埋設されているので、夫々の本体部の球状面側の頂点同士が磁着する。該実施例において、夫々のマグネットホルダー１におけるマグネット４は、上記実施例とは異なり、本体部２の頂点で当接して磁着するべく、夫々本体部２の頂点方向の磁極が異なるように埋設される。すなわち、一方のマグネットホルダー１に埋設されたマグネット４において、本体部２方向の磁極がＮ極であれば、もう一方のマグネットホルダー１においては本体部２方向の磁極がＳ極になるように埋設される。逆に、本体部２方向の磁極がＳ極であれば、他のマグネットホルダー１のマグネットの磁極は、本体部２方向がＮ極となるように埋設される。
【００３３】
このように配置した一対のマグネットホルダー１に対して、相互に磁着した球状面の頂点方向に下方からメモ用紙５を差し込むようにして一対のマグネットホルダー１間に挟持すれば、メモ用紙５を片手で容易に取付けることができる。逆に、一対のマグネットホルダー１間に取り付けたメモ用紙５を取り外す際には、メモ用紙５を真下方向に引張することによって片手で容易に取り外すことができる。この時、一対のマグネットホルダー１は、磁着状態を維持するので落下することはない。
【００３４】
上述した他の実施例においては、メモ用紙５を手前方向に引張することによって取り外したのに対して、該実施例によれば、真下方向に引張によってもメモ用紙５を片手で容易に取り外すことができる。なお、真下方向のみならず、壁面６と平行方向であれば、真横方向、真上方向に引張してもメモ用紙５を容易に取り外すことができる。
【００３５】
また、図１２に示す断面図のように、両マグネットホルダー１の突起部３側に半球面状のカバー８を取付けて、両マグネットホルダー１を楕円球形状に形成してもよい。これにより、本体部２の球状面側であっても、カバー８を設けた突起部３側であっても、両半球面状の頂点を磁着すれば、片手でのメモ用紙５の挟持又は取外しが、上記図１１で示した実施例と同様に、容易となる。
【００３６】
また、図１３に示すように、両マグネットホルダー１の本体部２を夫々楕円球形状に形成し、該本体部２にマグネット４を埋設する構成であっても、同様の効果を奏することができる。この場合、マグネットホルダー１を壁面６に磁着させた際に、両マグネットホルダー１の壁面６側に寄せた位置にマグネット４を埋設することにより、一対のマグネットホルダー１の壁面６側のマグネットホルダー１をより強力に壁面６に磁着させることができ、またもう一方の外側のマグネットホルダー１をメモ用紙５等の挟持又は取り外しが容易になるように適度に壁面６側のマグネットホルダー１に磁着させることができる。
【００３７】
以上に記載した実施例の本体部２は、夫々略半球形状に形成されているが、図１４に示したように板蒲鉾状の半円柱形状に形成してもよく、半円柱形状の本体部２の平面側に埋設して止着されるマグネット４は、略円形状の他、棒状で構成してもよい。当該構成とすることで、半円柱形状のマグネットホルダー１及び壁面６により挟持されたメモ用紙５等を取り外す方向が上下の軸直交方向に制限されるものの、半円柱形状の本体部２とメモ用紙５等とが“線”で接触することから、上記実施例の略半球形状のようにメモ用紙５等と“点”で接触するマグネットホルダー１よりも強力且つ堅固にメモ用紙５等を挟持することができる。
【００３８】
また、半円柱形状で壁面６側の縁断面が曲線で形成されるマグネットホルダー１と断面が直線で形成される壁面６との間には、マグネットホルダー１と壁面６との接地点までに緩やかに狭まる間隙が構成される。これにより、メモ用紙５をマグネットホルダー１の下方からメモ用紙５の上端を当該間隙に挿入するように押勢すれば、メモ用紙５の上端が当該間隙に挟持され、したがって、半円柱形状のマグネットホルダー１を使用しても、マグネットホルダー１を壁面６から一方の手で保持する必要はなく、片手で容易にメモ用紙５等を壁面６に挟持することができる。
【産業上の利用可能性】
【００３９】
マグネットホルダー１の本体部２は、球形状で構成してもよい。この時、マグネット４も球形状で構成され、球形状の本体部２の重心部に埋入される。本体部２が球形状で構成されることにより、上記実施例と同様、メモ用紙５を片手で把持し手前方向に引張すれば、マグネットホルダー１とメモ用紙４等との当接部が“点”であり、メモ用紙５等の表面上を球形状のマグネットホルダー１が上方向に転動することから、片手で容易にメモ用紙５等を取り外すことができ、且つメモ用紙５にスジが付くことはない。なお、球形状の周面のいずれかに、上記突起部３を設けることにより、上記使用方法を実施することもできる。
【００４０】
また、上記各実施例の略半球形状又は半円柱形状及び球形状の本体部２を磁石で構成し、本体部２の外周面に繊維層、合成樹脂層、弾性素材層又は金属層等を被覆した構成にしてもよい。この場合、本体部２の外周面の金属は、磁性体の金属で構成してもよく、非磁性体の金属で構成してもよい。
【００４１】
また、上記実施例では、メモ用紙５等を壁面６に挟持することに本発明に係るマグネットホルダー１を使用したが、コピー用紙等の切断時の紙押え又は金属製クリップの散乱防止ホルダーとしても使用することができる。なお、本体部２又は突起部３側のいずれか一方又は両方を使用しても、紙押え又は金属製クリップを磁着させることができる。
【符号の説明】
【００４２】
１    マグネットホルダー
２    本体部
３    突起部
４    マグネット
５    メモ用紙
６    壁面
７    キーホルダー
８    カバー